(57)【要約】      （修正有）【課題】天井との結合性が良く、取り付けに便利で、普及の見込みがあるＬＥＤ天井灯を提供する。【解決手段】ＬＥＤ天井灯であって、ランプベース１とランプカバー２を含み、ランプカバーはネジ４部を通してランプベースの下部と繋ぎ、ランプベースの中部にＬＥＤランプと繋ぐランプソケット３が設置される。ランプベースの下部に段差付凹状穴１０１が設置され、その凹状穴は二つで対称的に配置され、凹状穴にネジがあり、ネジをねじ込む側がランプベースを貫通し、更に第一凹状穴４０１が設置される。第一凹状穴の内部ネジ部にコネクティングロッド５が設置され、コネクティングロッドの上部周辺に位置決めロッド６が溶接されていて、凹状穴に密封シート７があり、密封シートはネジを密封し、ランプベースの上部にヒートシンク８を環状で配置され、そのヒートシンクの数は１枚以上である。【選択図】図１
0003191417.tif 000002
【実用新案登録請求の範囲】
【請求項１】
LED天井灯であり、その特徴は：ランプベースとランプカバーを含み、前述したランプカバーはネジ部を通してランプベースの下部と繋ぎ、前述したランプベースの中部にLEDランプと繋ぐランプソケットが設置され、前述したランプベースの下部に段差付凹状穴が設置され、その凹状穴は二つで対称的に配置され、前述した凹状穴にネジがあり、ネジをねじ込む側がランプベースを貫通し、更に第一凹状穴が設置され、前述した第一凹状穴の内部ネジ部にコネクティングロッドが設置され、前述したコネクティングロッドの上部周辺に位置決めロッドが溶接されていて、前述した凹状穴に密封シートがあり、前述した密封シートはネジを密封し、前述したランプベースの上部にヒートシンクを環状で配置され、そのヒートシンクの数は１枚以上であることを特徴とするLED天井灯。
【請求項２】
請求項１に記載のLED天井灯において、その特徴は：前述したヒートシンクとランプベースはアルミ合金で造られ、ヒートシンクとランプベースは一体化したものであることを特徴とするLED天井灯。
【請求項３】
請求項１に記載のLED天井灯において、その特徴は：前述した密封シート下部の外輪に隆起したエッジがあり、前述した隆起したエッジの直径は凹状穴の直径より大きく、前述した密封シートと隆起したエッジとは一体化したものであり、全てゴムで造られることを特徴とするLED天井灯。
【請求項４】
請求項１に記載のLED天井灯において、その特徴は：前述したランプカバーは透明ガラスカバーであることを特徴とするLED天井灯。
【考案の詳細な説明】
【技術分野】
【０００１】
本実用新案はLED天井灯に関わる。
【背景技術】
【０００２】
市場に出回っているLED天井灯の固定方法は主にスナップ式であり、スナップホックの弾力性で締める。この様なLED天井灯は良い密封性能を持ち、LED天井灯を天井と一体に固定できる。しかし、このタイプのLED天井灯の取り外しは困難で、後期のメンテナンスに不便を齎し、実用性が低い。同時に、取り付けにもスキルが要求され、プロな従業員しか順調に取り付けられなく、普及に有利ではない。
【考案の概要】
【考案が解決しようとする課題】
【０００３】
本実用新案の解決したい技術課題とはLED天井灯を提供することである。本装置は天井との結合性が良く、取り付けに便利で、普及の見込みがある。
【課題を解決するための手段】
【０００４】
上述した課題を解決する為、本実用新案は以下の技術案を採用する：
LED天井灯であり、ランプベースとランプカバーを含み、前述したランプカバーはネジ部を通してランプベースの下部と繋ぎ、前述したランプベースの中部にLEDランプと繋ぐランプソケットが設置され、前述したランプベースの下部に段差付凹状穴が設置され、その凹状穴は二つで対称的に配置され、前述した凹状穴にネジがあり、ネジをねじ込む側がランプベースを貫通し、更に第一凹状穴が設置され、前述した第一凹状穴の内部ネジ部にコネクティングロッドが設置され、前述したコネクティングロッドの上部周辺に位置決めロッドが溶接されていて、前述した凹状穴に密封シートがあり、前述した密封シートはネジを密封し、前述したランプベースの上部にヒートシンクを環状で配置され、そのヒートシンクの数は１枚以上である。
【０００５】
最適な技術案として、前述したヒートシンクとランプベースはアルミ合金で造られ、ヒートシンクとランプベースは一体化したものである。
【０００６】
最適な技術案として、前述した密封シート下部の外輪に隆起したエッジがあり、前述した隆起したエッジの直径は凹状穴の直径より大きく、前述した密封シートと隆起したエッジとは一体化したものであり、全てゴムで造られる。
【０００７】
最適な技術案として、前述したランプカバーは透明ガラスカバーである。
【考案の効果】
【０００８】
本実用新案の有益な効果は：使用する際、天井の厚さに従ってネジのねじ込み深さ、及びコネクティングロッドのねじ込み深さを調整でき、そして本装置を天井に取り付けられ、更にネジを回すことによって、本装置が位置決めロッドを通じて天井に固定される。外部から取り付けの跡を見えなく、奇麗に見える。更に、固定作業や今後のメンテナンスが簡単で、メンテナンスコストが低い。また本装置は良い熱放散性能を持ち、普及して利用することに適応する。
【図面の簡単な説明】
【０００９】
【図１】本実用新案の構造図である。
【図２】ランプベースの底面図である。
【図３】ランプベースの上面図である。
【考案を実施するための形態】
【００１０】
以下は添付した図に従って、本実用新案の最適な技術実例を詳しく説明し、本実用新案の長所と特徴を本技術分野の技術者によく簡単に理解させ、よって、本実用新案の保護範囲をより明白に定める。
【００１１】
図1、図２と図３に示されたLED天井灯を参照して、ランプベース１とランプカバー２を含み、前述したランプカバー２はネジ部を通してランプベース１の下部と繋ぎ、前述したランプベース１の中部にLEDランプと繋ぐランプソケット３が設置され、前述したランプベース１の下部に段差付凹状穴101が設置され、その凹状穴101は二つで対称的に配置され、前述した凹状穴101にネジ４があり、ネジ４をねじ込む側がランプベース１を貫通し、更に第一凹状穴401が設置され、前述した第一凹状穴401の内部ネジ部にコネクティングロッド５が設置され、前述したコネクティングロッド５の上部周辺に位置決めロッド６が溶接されていて、前述した凹状穴101に密封シート７があり、前述した密封シート７はネジ４を密封し、前述したランプベース１の上部にヒートシンク８を環状で配置され、そのヒートシンク８の数は１枚以上である。
【００１２】
本実用新案の良い技術案として、前述したヒートシンク８とランプベース１はアルミ合金で造られ、ヒートシンク８とランプベース１は一体化したものである。
【００１３】
本実用新案の良い技術案として、前述した密封シート７下部の外輪に隆起したエッジがあり、前述した隆起したエッジの直径は凹状穴の直径より大きく、前述した密封シートと隆起したエッジとは一体化したものであり、全てゴムで造られる。
【００１４】
本実用新案の良い技術案として、前述したランプカバー２は透明ガラスカバーである。
【００１５】
本実用新案の有益な効果は：使用する際、天井の厚さに従ってネジのねじ込み深さ、及びコネクティングロッドのねじ込み深さを調整でき、そして本装置を天井に取り付けられ、更にネジを回すことによって、本装置が位置決めロッドを通じて天井に固定される。外部から取り付けの跡を見えなく、奇麗に見える。更に、固定作業や今後のメンテナンスが簡単で、メンテナンスコストが低い。また本装置は良い熱放散性能を持ち、普及して利用することに適応する。
【００１６】
以上は本実用新案の基本原理、主要特徴と本実用新案の長所を示した。本分野の技術者は、本実用新案が上述した実施例に制限されなく、上述した実施例と説明書に述べたものは、単なる本実用新案の原理を説明だけで、本実用新案の精神と範囲を抜けない前提で、本実用新案はまだ様々な変化と改善が現れるはずで、これらの変化と改善は全て保護される本実用新案の範囲に含まれることを理解すべき。本実用新案の要求された保護範囲は添付した権利要求書及び同等物によって定義される。
【符号の説明】
【００１７】
１  ランプベース
２  ランプカバー
３  ランプソケット
４  ネジ
５  コネクティングロッド
６  位置決めロッド
７  密封シート
８  ヒートシンク
101  凹状穴
401  第一凹状穴
【図１】
0003191417.tif 000003
【図２】
0003191417.tif 000004
【図３】
0003191417.tif 000005